(57)【要約】【課題】室内機から取り外した室内機カバーおよびフィルターを、別に洗浄する必要がないエアコン高圧洗浄装置を提供する。【解決手段】このエアコン高圧洗浄装置は、室内機から室内機カバー１３およびフィルター１５を取り外した室内機本体５の少なくとも上面および左右側面を覆い、周囲への前記洗浄液の飛散を防ぐフード体７と、前記室内機本体５の真下に吊下げられ、落下する前記洗浄液を受けて集めるホッパー９と、を有する。そして、このホッパー９の上縁を構成するフレーム１７には、支持体１９が取り付けられ、室内機カバー１３およびフィルター１５を支持でき、これらを落下する洗浄液にさらすことができ、同時に洗浄できる。【選択図】図1
0003146261.tif 000002
【実用新案登録請求の範囲】
【請求項１】
壁掛タイプのエアコン室内機を壁に掛けたまま高圧の洗浄液で洗浄するための高圧洗浄装置において、前記室内機から室内機カバーおよびフィルターを取り外した室内機本体の少なくとも上面および左右側面を覆い、周囲への前記洗浄液の飛散を防ぐフード体と、前記室内機本体の真下に吊下げられ、落下する前記洗浄液を受けて集めるホッパーと、このホッパーの上縁を構成するフレームと、このフレームに取り付けられ前記室内機カバーおよび前記フィルターを支持でき前記落下する前記洗浄液にさらすことができる支持体と、を有することを特徴とするエアコン高圧洗浄装置。
【請求項２】
前記フード体は、前記室内機本体の奥行きよりも広い幅を有し、前記室内機本体の上面、左右側面、および下面の左右一部を覆う長さを有する帯状の第１防水シートと、この帯状の第１防水シートの奥側の左右端部を結ぶ第１ゴムベルトと、を備えて構成され、前記ホッパーは、前記室内機カバーよりも大きな四角形の前記フレームと、このフレームに上縁を固定され逆四角錐を形成する第２防水シートと、前記吊下げを行うため、前記フレームの四角形の前側左右に両端が取り付けられ、前記室内機本体の上奥側に掛け回される第２ゴムベルトと、前記フレームの四角形の奥側左右に両端が取り付けられ、前記室内機本体の上奥側に掛け回される第３ゴムベルトと、を備えて構成され、前記支持体は、前記フレームに渡された複数条の支持ベルトを備えて構成されることを特徴とする請求項１に記載のエアコン高圧洗浄装置。 
【考案の詳細な説明】
【技術分野】
【０００１】
この考案は、エアコン室内機を室内に設置したまま高圧の洗浄液で洗浄するためのエアコン高圧洗浄装置の構造に関する。
【背景技術】
【０００２】
壁掛タイプのエアコン室内機を壁に掛けたまま、あるいは天井設置タイプのエアコン室内機を天井に設置したまま、高圧の洗浄液で洗浄するための高圧洗浄装置は、既に提案されている。
例えば下記特許文献１では、壁掛タイプのエアコン室内機を壁に掛けたまま高圧の洗浄液で洗浄するための高圧洗浄装置が記載される。
また、下記特許文献２では、天井設置タイプのエアコン室内機を天井に設置したまま高圧の洗浄液で洗浄するための高圧洗浄装置が記載される。  
【特許文献１】特開平０７−１９０６８３
【特許文献２】実登３０５２８２７
【考案の開示】
【考案が解決しようとする課題】
【０００３】
しかしながら、前記特許文献１、２の高圧洗浄装置では、室内機から取り外した室内機カバーおよびフィルターは、別の場所、例えば家庭の場合には風呂場やベランダで、別に洗浄する必要がある。このため、作業が２度手間になって作業効率が低下し、必要な洗浄液も増加していた。
【０００４】
この考案は、以上の問題点を解決するために、室内機から取り外した室内機カバーおよびフィルターを、別に洗浄する必要がないエアコン高圧洗浄装置を提供することを目的とする。
【課題を解決するための手段】
【０００５】
以上の課題を解決するために、第一考案は、壁掛タイプのエアコン室内機を壁に掛けたまま高圧の洗浄液で洗浄するための高圧洗浄装置において、前記室内機から室内機カバーおよびフィルターを取り外した室内機本体の少なくとも上面および左右側面を覆い、周囲への前記洗浄液の飛散を防ぐフード体と、前記室内機本体の真下に吊下げられ、落下する前記洗浄液を受けて集めるホッパーと、このホッパーの上縁を構成するフレームと、このフレームに取り付けられ前記室内機カバーおよび前記フィルターを支持でき前記落下する前記洗浄液にさらすことができる支持体と、を有することを特徴とするエアコン高圧洗浄装置である。
【０００６】
第二考案は、前記フード体は、前記室内機本体の奥行きよりも広い幅を有し、前記室内機本体の上面、左右側面、および下面の左右一部を覆う長さを有する帯状の第１防水シートと、この帯状の第１防水シートの奥側の左右端部を結ぶ第１ゴムベルトと、を備えて構成され、前記ホッパーは、前記室内機カバーよりも大きな四角形の前記フレームと、このフレームに上縁を固定され逆四角錐を形成する第２防水シートと、前記吊下げを行うため、前記フレームの四角形の前側左右に両端が取り付けられ、前記室内機本体の上奥側に掛け回される第２ゴムベルトと、前記フレームの四角形の奥側左右に両端が取り付けられ、前記室内機本体の上奥側に掛け回される第３ゴムベルトと、を備えて構成され、前記支持体は、前記フレームに渡された複数条の支持ベルトを備えて構成されることを特徴とするエアコン高圧洗浄装置である。
【考案の効果】
【０００７】
第一、又は第二考案によれば、ホッパーの上縁を構成するフレームに取り付けられた支持体が、室内機カバーおよびフィルターを支持し、落下する洗浄液にさらすことができるので、室内機本体と同時に洗浄できる。よって、室内機から取り外した室内機カバーおよびフィルターを、別に洗浄する必要がない。
【０００８】
第二考案によれば、シンプルな構成によって、本考案のエアコン高圧洗浄装置を得ることができる。
【考案を実施するための最良の形態】
【０００９】
この考案の実施形態を、図１及び図５に示す。
この実施形態は、壁掛タイプのエアコン室内機１を壁に掛けたまま高圧の洗浄液で洗浄するための高圧洗浄装置３である。
［全体概略］
この高圧洗浄装置３は、室内機本体５の周囲への洗浄液の飛散を防ぐフード体７と、このフード体７から落下する洗浄液を受けて集めるホッパー９と、高圧の洗浄液を室内機本体５へ供給する高圧洗浄液供給装置１１と、を有する。
【００１０】
そして、フード体７は、室内機１から室内機カバー１３およびフィルター１５を取り外した室内機本体５の少なくとも上面および左右側面を覆う。
ホッパー９は、室内機本体５の真下に吊下げられ、落下する洗浄液を受けて集める。ホッパー９の上縁を構成するフレーム１７に取り付けられた支持体１９が、室内機カバー１３およびフィルター１５を支持でき、これらを落下する洗浄液にさらすことができる。室内機カバー１３には、空気の吸い込み口や吐き出し口が設けられ、これらの口から、室内機カバー１３を洗浄した洗浄液は、下方へ流れることができる。
【００１１】
［フード体７］
フード体７は、本体が帯状の第１防水シート２１からなる。この第１防水シート２１は軟質ビニールシートである。帯状の幅は、室内機本体５の奥行きよりも広い幅を有し、長さは、室内機本体５の上面、左右側面、および下面の左右一部を覆う長さを有する。この帯状の第１防水シート２１の奥側の左右端部は、第１平ゴムベルト２３によって結ばれる。第１平ゴムベルト２３は中央が分割され、分割端部の両側を平ベルトキャッチ金具２５が簡便に結ぶ。
【００１２】
このような構成により、第１防水シート２１は、室内機本体５をぐるりと覆う形で、両端が下に来るようにして、最後に平ベルトキャッチ金具２５で固定される。
［ホッパー９］
ホッパー９は、室内機カバー１３よりも大きな四角形のフレーム１７を有する。フレーム１７はアルミパイプであり、前後の辺のそれぞれの中央に蝶番１８が設けられ、よって、ホッパー９を折り畳んでコンパクトにできる。
【００１３】
ホッパー９の本体を構成する第２防水シート２７は、軟質ビニールシートからなり、フレーム１７によって上縁を固定され、逆四角錐を形成する。ホッパー９を吊下げるため、二つのゴムベルトが用いられる。すなわち、フレーム１７の四角形の前側左右に、両端が取り付けられた第２平ゴムベルト２９が、室内機本体５の上奥側に掛け回される。同じように、フレーム１７の四角形の奥側左右に、両端が取り付けられた第３平ゴムベルト３１が、室内機本体５の上奥側に掛け回される。これら第２、第３平ゴムベルト２９，３１には、調整金具３３が設けられ、ベルトの長さを調整できる。
【００１４】
ホッパー９の逆四角錐の下端には、洗浄後の汚水を導くビニールホース３５が接続され、さらに、ポリタンク３７に連結する。
【００１５】
［支持体１９]
支持体１９は、フレーム１７に前後方向に渡され、左右に２条配置される支持ベルト３９を備えて構成される。 支持ベルト３９は、軟質ビニール製補強ベルトであり、フレーム１７に前後方向に渡された状態で、浅いＵ字形状にたわみ、室内機カバー１３を裏面を上向きにした状態で、支持できる。フィルター１５は、この室内機カバー１３の裏面に載置しておく。
【００１６】
［高圧洗浄液供給装置１１］
洗浄液である液体洗剤が入った洗剤用ポリタンク４１は、洗剤吸水用ビニールホース４３を介して電磁バルブ４５Ａに接続され、さらにポンプ吸水用ビニールホース４７を介して市販洗浄用ポンプ４９に接続される。
【００１７】
同様に、洗浄液として使用される水が入った水用ポリタンク５１は、水吸水用ビニールホース５３を介して電磁バルブ４５Ｂに接続され、さらにポンプ吸水用ビニールホース４７を介して市販洗浄用ポンプ４９に接続される。
市販洗浄用ポンプ４９から高圧になって送られる液体洗剤または水は、洗浄液として、市販高圧洗浄用ホース５５を通り、洗浄用ノズル５７から、室内機本体５へ噴射される。
なお、二つの電磁バルブ４５Ａ，４５Ｂは、ポータブルアルミケース５９に収納され、ワイヤレスリモコン受信機６１を有する。また、プラグ付電源ケーブル６３により家庭用電源から電源を得る。そして、ポンプ専用コンセント６５を有して市販洗浄用ポンプ４９に電源を供給する。
【００１８】
洗浄用ノズル５７を片手に持って脚立などに登って洗浄作業する作業者が、ワイヤレスリモコン６７を操作することで、ワイヤレスリモコン受信機６１へ制御信号を送り、電磁バルブ４５Ａ，４５ＢのＯＮ，ＯＦＦ、市販洗浄用ポンプ４９への電源のＯＮ，ＯＦＦができる。
これにより、作業者は、洗浄液を液体洗剤または水にするか、両者の混合にするかを選択でき、洗浄液の噴射をするかしないかを選択できる。
【００１９】
もっとも、この実施形態では、ワイヤレスリモコン６７には、３つの押しボタンがあり、「洗剤」、「水」、「停止」が選択できる。「洗剤」ボタンを押すと、電磁バルブ４５Ａと市販洗浄用ポンプ４９がＯＮし、液体洗剤が噴射される。「停止」ボタンを押すと、電磁バルブ４５Ａ，４５Ｂと市販洗浄用ポンプ４９がＯＦＦし、噴射はしない。「水」ボタンを押すと、電磁バルブ４５Ｂ、と市販洗浄用ポンプ４９がＯＮし、水が噴射される。「洗剤」ボタンを押して直ぐに「水」ボタンを押しても、水の噴射へは切り替わらない、逆も同じで、必ず間に「停止」ボタンを押す必要がある。
なお、二つの電磁バルブ４５Ａ，４５Ｂは、ポータブルアルミケース５９に収納され、市販洗浄用ポンプ４９にワンタッチで簡単に取り付けることができ、作業効率を向上できる。
【００２０】
「実施形態の効果」
この実施形態によれば、ホッパー９の上縁を構成するフレーム１７に取り付けられた支持体１９が、室内機カバー１３およびフィルター１５を支持する。よって、上方から落下する洗浄液に、室内機カバー１３およびフィルター１５をさらすことができ、これらを、室内機本体５と同時に洗浄できる。このため、室内機から取り外した室内機カバー１３およびフィルター１５を、別に洗浄する必要がない。
【００２１】
また、装置を、防水シート２１，２７、フレーム１７、ゴムベルト２９，３１、ベルト３９などの構成要素で構成でき、シンプルな構成によって、装置のコストを抑えることができる。
【００２２】
「他の実施形態」
以上の実施形態では、フード体７とホッパー９は分離されていたが、他の実施形態ではフード体７とホッパー９の一体化したものでもよい。一体化したものの一部に孔をあけ、そこから、高圧の洗浄液を噴射して洗浄を行うことができる。
【００２３】
以上の実施形態では、支持体１９は、フレーム１７に渡された支持ベルト３９であったが、他の実施形態では、洗浄液を通し、室内機カバー１３およびフィルター１５を支持できるものであれば、かまわない。例えば、浅いＵ字形状にたわんだ断面形状を有する金属かごであってもよい。この金属かごに、室内機カバー１３を裏面を上向きにした状態で、支持できる。
【図面の簡単な説明】
【００２４】
【図１】この考案の一実施形態に係るエアコン高圧洗浄装置の全体図である。
【図２】図１の要部の拡大図である。
【図３】図１の他部分の拡大図である。
【図４】図１のフード体の拡大図である。
【図５】図１のホッパーの拡大図である。
【符号の説明】
【００２５】
１…エアコン室内機、３…高圧洗浄装置、５…室内機本体、７…フード体、９…ホッパー、１１…高圧洗浄液供給装置、１３…室内機カバー、１５…フィルター、１７…フレーム、１９…支持体、２１…第１防水シート、２３…第１平ゴムベルト、２５…平ベルトキャッチ金具、２７…第２防水シート、２９…第２平ゴムベルト、３１…第３平ゴムベルト、３３…調整金具、３５…ビニールホース、３７…ポリタンク、３９…支持ベルト、４１…洗剤用ポリタンク、４３…洗剤吸水用ビニールホース、４５Ａ，４５Ｂ…電磁バルブ、４７…ポンプ吸水用ビニールホース、４９…市販洗浄用ポンプ、５１…水用ポリタンク、５３…水吸水用ビニールホース、５５…市販高圧洗浄用ホース、５７…洗浄用ノズル、５９…ポータブルアルミケース、６１…ワイヤレスリモコン受信機、６３…プラグ付電源ケーブル、６５…ポンプ専用コンセント、６７…ワイヤレスリモコン。
【図１】
0003146261.tif 000003
【図２】
0003146261.tif 000004
【図３】
0003146261.tif 000005
【図４】
0003146261.tif 000006
【図５】
0003146261.tif 000007